(57)【特許請求の範囲】
【請求項１】
天井に取り付けられる、長尺の器具本体と、
前記器具本体の下面に設けられ、前記器具本体の長手方向に直交する幅方向において互いが接近するように付勢される一対の保持部を備える取付ばねと、
前記器具本体の下面に設けられ、下方に突出する部分を有する第１の嵌合部材と、
複数のＬＥＤが前記器具本体の長手方向に沿って配置される基板を備え、前記器具本体の長手方向に沿って延在する、放熱機能を有する長尺の点灯ユニットと、
前記点灯ユニットの上面に設けられる取付金具と、
前記点灯ユニットの上面に設けられ、上方に突出する部分を有し、前記上方に突出する部分が、前記器具本体の幅方向における移動が規制された状態で前記第１の嵌合部材と嵌合する第２の嵌合部材と、
を備え、
前記取付金具は、前記取付ばねの前記一対の保持部の間に挿通された状態で、前記一対の保持部によって、前記器具本体の幅方向において両側を挟み込まれて保持され、
前記点灯ユニットは、前記第２の嵌合部材が前記第１の嵌合部材と嵌合することによって、前記器具本体の幅方向における移動が規制され、
かつ、前記基板の熱は、前記点灯ユニット、前記第２の嵌合部材および前記第１の嵌合部材を経由して前記器具本体に放熱される照明器具。
【請求項２】
請求項１に記載の照明器具において、
前記第１の嵌合部材および前記第２の嵌合部材は、嵌合時における位置決め用のガイドを有する照明器具。
【請求項３】
請求項１または請求項２に記載の照明器具において、
前記第１の嵌合部材および前記第２の嵌合部材は、熱伝導性の良好な材料により形成される照明器具。
【発明の詳細な説明】
【技術分野】
【０００１】
本発明は、ＬＥＤを光源として天井面に設置されるベースライトに適用される照明器具に関する。
【背景技術】
【０００２】
従来より、ＬＥＤの基板が放熱板に取り付けられ、この放熱板がケースに接続された照明器具が知られている（例えば、特許文献１参照）。
【先行技術文献】
【特許文献】
【０００３】
【特許文献１】特開２００９−１０４９９８号公報（図２、請求項１）
【発明の概要】
【発明が解決しようとする課題】
【０００４】
前述した特許文献１に記載された照明器具は、ＬＥＤからの熱を放熱板から効率よく放熱できる。
ところで、図１５に示すように、器具本体１０１に取り付けられた取付ばね１０２を弾性変形させながら反射板等の構造部品１０３を取付ばね１０２に装着する照明器具１００が提案されている。
【０００５】
このような従来の照明器具１００は、ハ字形状をなす取付ばね１０２の先端部が構造部品１０３に有するばね孔１０４に弾性変形されて挿入されることにより取付ばね１０２に蓄積された弾性復元力により構造部品１０３が器具本体１０１に保持される。構造部材１０３を器具本体１０１から取り外す場合、構造部材１０３から飛び出している取付ばね１０２の先端部を指等で摘むことにより取付ばね１０２を弾性変形させて、構造部材１０３のばね孔１０４から取付ばね１０２を抜き出して構造部材１０３が器具本体１０１から取り外される。
【０００６】
しかし、このような従来の照明器具１００は、壁１に設置された場合、自重により構造部品１０３が器具本体１０１の長手方向に直交する幅方向に対してがたついたり、落下したりする。
【０００７】
本発明は、前述した課題を解決するためになされたものであり、その目的は、構造部材の器具本体に対するがたつきを規制できる照明器具を提供することにある。
【課題を解決するための手段】
【０００８】
本発明に係る照明器具は、天井に取り付けられる、長尺の器具本体と、前記器具本体の下面に設けられ、前記器具本体の長手方向に直交する幅方向において互いが接近するように付勢される一対の保持部を備える取付ばねと、前記器具本体の下面に設けられ、下方に突出する部分を有する第１の嵌合部材と、複数のＬＥＤが前記器具本体の長手方向に沿って配置される基板を備え、前記器具本体の長手方向に沿って延在する、放熱機能を有する長尺の点灯ユニットと、前記点灯ユニットの上面に設けられる取付金具と、前記点灯ユニットの上面に設けられ、上方に突出する部分を有し、前記上方に突出する部分が、前記器具本体の幅方向における移動が規制された状態で前記第１の嵌合部材と嵌合する第２の嵌合部材と、を備え、前記取付金具は、前記取付ばねの前記一対の保持部の間に挿通された状態で、前記一対の保持部によって、前記器具本体の幅方向において両側を挟み込まれて保持され、前記点灯ユニットは、前記第２の嵌合部材が前記第１の嵌合部材と嵌合することによって、前記器具本体の幅方向における移動が規制され、かつ、前記基板の熱は、前記点灯ユニット、前記第２の嵌合部材および前記第１の嵌合部材を経由して前記器具本体に放熱される。
【０００９】
本発明に係る照明器具は、第１の嵌合部材および前記第２の嵌合部材は、嵌合時における位置決め用のガイドを有する。
【００１０】
本発明に係る照明器具は、前記第１の嵌合部材および前記第２の嵌合部材は、熱伝導性の良好な材料により形成される。
【発明の効果】
【００１１】
本発明に係る照明器具によれば、構造部材の器具本体に対するがたつきを規制できるという効果を奏する。
【図面の簡単な説明】
【００１２】
【図１】本発明に係る第１実施形態の照明器具の分解斜視図
【図２】図１の照明器具の点灯ユニットと器具本体との組付け前の外観斜視図
【図３】図２の照明器具の嵌合部の嵌合前の外観斜視図
【図４】図１の照明器具の点灯ユニットと器具本体との組付け後の外観斜視図
【図５】図４の照明器具の嵌合部の嵌合後の外観斜視図
【図６】図１の照明器具の組付け後の嵌合部周りの垂直断面図
【図７】本発明に係る第２実施形態の照明器具に適用される嵌合部の嵌合前の外観斜視図
【図８】図７の嵌合部の嵌合後の外観斜視図
【図９】本発明に係る第３実施形態の照明器具に適用される嵌合部の嵌合前の外観斜視図
【図１０】図９の嵌合部の嵌合後の外観斜視図
【図１１】本発明に係る第４実施形態の照明器具に適用される嵌合部の嵌合前の外観斜視図
【図１２】図１１の嵌合部の嵌合後の外観斜視図
【図１３】（Ａ）は本発明に係る第５実施形態の照明器具に適用される嵌合部の嵌合前の外観斜視図、（Ｂ）は（Ａ）の垂直断面図
【図１４】（Ａ）は本発明に係る第５実施形態の嵌合部の嵌合後の外観斜視図、（Ｂ）は（Ａ）の垂直断面図
【図１５】従来の照明器具の垂直断面図
【発明を実施するための形態】
【００１３】
以下、本発明に係る複数の実施形態の照明器具について図面を参照して説明する。
(第１実施形態)
図１に本発明に係る第１実施形態の照明器具１０の分解斜視図を示す。
図１に示すように、本発明に係る第１実施形態の照明器具１０は、安定器等の点灯回路１２が取り付けられた器具本体１１と、器具本体１１に取り付けられた一対の取付ばね１３と、器具本体１１に取り付けられた一対の第１嵌合部１４と、反射板ユニット１５と、構造部材であって複数のＬＥＤ１７を備えるＬＥＤユニット１８を有する点灯ユニット１６と、点灯ユニット１６に取り付けられ、取付ばね１３に装着される一対の取付金具１９と、点灯ユニット１６に取り付けられ、第１嵌合部１４に嵌合される一対の第２嵌合部２０とを備えるベースライトである。
【００１４】
器具本体１１は、熱伝導性の良好な例えば板金曲部材製やアルミニウム押出型材製であって長方形の板形状に形成されており、下面の両端部に取付ばね１３が取り付けられている。第１嵌合部１４は一対の取付ばね１３の内側にそれぞれ取り付けられている。
反射板ユニット１５は、長方形の箱形状に形成されており、中央部に配置された開口部２１の両側に一対の反射板２２を有する。
【００１５】
点灯ユニット１６は、熱伝導性の良好な例えば板金曲部材製やアルミニウム押出型材製であって略ハ字形状に形成されている。点灯ユニット１６は、その長手方向に沿って複数のＬＥＤ１７を配列させたＬＥＤユニット１８を備えている。ＬＥＤ１７は、基板（図６参照）２３上に実装されており、基板２３に有する不図示のプリント回路が点灯回路１２に電気的に接続される。点灯ユニット１６は、上面の両端部に取付金具１９が取り付けられている。第２嵌合部２０は一対の取付金具１９の内側にそれぞれ取り付けられている。
【００１６】
図２に照明器具１０の点灯ユニット１６と器具本体１１との組付け前の外観斜視図を示し、図３に照明器具１０の第１嵌合部１４と第２嵌合部２０との嵌合前の外観斜視図を示す。
図２および図３に示すように、反射板ユニット１５は、取付金具１９を挿通させるための取付金具孔２４を有するとともに、第２嵌合部２０を挿通させるための嵌合部孔２５を有する。
【００１７】
取付ばね１３は、弾性を有する金属製の板部材を折曲加工することにより成形されている。取付ばね１３は、先端部に取付金具１９の両側を挾み込むように弾性反発力が設定された一対の対向する保持部２６を有し、基端部に器具本体１１への固定部（図４参照）２７を有する。
取付金具１９は、弾性を有さない金属製の板部材を折曲加工することにより、菱形に形成された挿入部２８と、点灯ユニット１６にねじ止めされる固定部２９とを有する。
【００１８】
第１嵌合部１４は、熱伝導性の良好な金属材料により成形されており、器具本体１１の長手方向に直交する幅方向に沿った本体３０と、本体３０に対して９０度折り曲げられて接続され、器具本体１１の裏面にねじ止めされる固定部３１とを有する。本体３０の中央部には、第２嵌合部２０を嵌め込むための嵌合スリット３２が形成されており、嵌合スリット３２の両側に角部が切除されたＣカットガイド部３３を有する。
【００１９】
第２嵌合部２０は、第１嵌合部１４と同様に熱伝導性の良好な金属材料により成形されており、点灯ユニット１６の長手方向に平行な本体３４と、本体３４に対して９０度折り曲げられて接続され、点灯ユニット１６の表面にねじ止めされる固定部３５とを有する。本体３４の中央部には、第１嵌合部１４を嵌め込むための嵌合スリット３６が形成されており、嵌合スリット３６の両側に角部が切除されたＣカットガイド部３７を有する。
【００２０】
図４に照明器具１０の点灯ユニット１６と器具本体１１との組付け後の外観斜視図を示し、図５に照明器具１０の第１嵌合部１４と第２嵌合部２０との嵌合後の外観斜視図を示す。
図４および図５に示すように、点灯ユニット１６が器具本体１１に向けて進行されることにより、点灯ユニット１６の取付金具１９が、反射板ユニット１５の開口部２１を通過して反射板ユニット１５の取付金具孔２４に挿通された後に、器具本体１１の取付ばね１３に挿着される。
【００２１】
同時に、点灯ユニット１６の第２嵌合部２０が、反射板ユニット１５の開口部２１を通過して反射板ユニット１５の嵌合部孔２５に挿通された後に、第２嵌合部２０の嵌合スリット３６が第１嵌合部１４の嵌合スリット３２に嵌合される。これにより、第２嵌合部２０が第１嵌合部１４に熱的に接続され、反射板ユニット１５を挟んで器具本体１１に点灯ユニット１６が一体的に組み付けられる。
【００２２】
このとき、第２嵌合部２０が嵌合スリット３６の両側にＣカットガイド部３７を有し、第１嵌合部１４が嵌合スリット３２の両側にＣカットガイド部３３を有するために、第２嵌合部２０のＣカットガイド部３７および第１嵌合部１４のＣカットガイド部３３により第２嵌合部２０の嵌合スリット３６が第１嵌合部１４の嵌合スリット３２に誘導される。
【００２３】
従って、点灯ユニット１６の長手方向に平行な本体３４を有する第２嵌合部２０が、器具本体１１の長手方向に直交する幅方向に沿った本体３０を有する第１嵌合部１４に交差状に嵌合されることにより、器具本体１１の幅方向に対して点灯ユニット１６が移動を規制されるので、器具本体１１に対して点灯ユニット１６ががたついたり、落下したりしない。
【００２４】
また、第２嵌合部２０のＣカットガイド部３７および第１嵌合部１４のＣカットガイド部３３により第２嵌合部２０の嵌合スリット３６が第１嵌合部１４の嵌合スリット３２に誘導されるために、第２嵌合部２０の嵌合スリット３６を第１嵌合部１４の嵌合スリット３２に確実に嵌合できる。
【００２５】
図６に照明器具１０の組付け後の第１嵌合部１４および第２嵌合部２０周りの垂直断面図を示す。
図６に示すように、点灯ユニット１６は、ＬＥＤユニット１８においてＬＥＤ１７が基板２３上に実装されており、ＬＥＤ１７が下方に向けて照射方向を設定されている。
【００２６】
点灯回路１２からの給電によりＬＥＤ１７が発光される。ＬＥＤ１７は発光により発熱される。ＬＥＤ１７からの熱は、点灯ユニット１６に伝わり、点灯ユニット１６の表面において第２嵌合部２０から第１嵌合部１４へ伝わる。そして、ＬＥＤ１７からの熱は第１嵌合部１４から器具本体１１へと伝わり、器具本体１１を通じて放熱される。
従って、ＬＥＤ１７からの熱が、熱的に接続されている第２嵌合部２０から第１嵌合部１４に伝わることにより、器具本体１１から効率よく放熱できる。
【００２７】
以上、説明した第１実施形態の照明器具１０によれば、点灯ユニット１６の長手方向に平行な本体３４を有する第２嵌合部２０が、器具本体１１の長手方向に直交する幅方向に沿った本体３０を有する第１嵌合部１４に交差状に嵌合されることにより、器具本体１１の幅方向に対して点灯ユニット１６が移動を規制されるので、器具本体１１に対して点灯ユニット１６ががたついたり、落下したりしない。
【００２８】
また、第１実施形態の照明器具１０によれば、第２嵌合部２０のＣカットガイド部３７および第１嵌合部１４のＣカットガイド部３３により第２嵌合部２０の嵌合スリット３６が第１嵌合部１４の嵌合スリット３２に誘導されるために、第２嵌合部２０の嵌合スリット３６を第１嵌合部１４の嵌合スリット３２に確実に嵌合できる。
【００２９】
そして、第１実施形態の照明器具１０によれば、ＬＥＤ１７からの熱が、熱的に接続されている第２嵌合部２０から第１嵌合部１４に伝わることにより、器具本体１１から効率よく放熱できる。
【００３０】
（第２実施形態）
次に、本発明に係る第２実施形態の照明器具について説明する。なお、以下の実施形態において、上述した第１実施形態と重複する構成要素や機能的に同様な構成要素については、図中に同一符号あるいは相当符号を付することによって説明を簡略化あるいは省略する。
【００３１】
図７に本発明に係る第２実施形態の照明器具５０に適用される第１嵌合部５１および第２嵌合部５２の嵌合前の外観斜視図を示し、図８に第１嵌合部５１および第２嵌合部５２の嵌合後の外観斜視図を示す。
【００３２】
図７に示すように、照明器具５０に適用される第１嵌合部５１は、熱伝導性の良好な金属材料により成形されており、器具本体１１の長手方向に直交する幅方向に沿った単純な板形状をなす本体５３と、本体５３に対して９０度折り曲げられて接続され、器具本体１１の裏面にねじ止めされる固定部５４とを有する。
【００３３】
第２嵌合部５２は、第１嵌合部５１と同様に熱伝導性の良好な金属材料により成形されており、点灯ユニット１６の長手方向に直交する幅方向に沿ったスリット５５を有する台５６と、台５６の両端縁から下方に向けて延出されて点灯ユニット１６の表面にねじ止めされる固定部５７とを有する。
図８に示すように、点灯ユニット１６が器具本体１１に向けて進行されることにより、第２嵌合部５２のスリット５５が第１嵌合部５１の本体５３に挿入されて嵌合される。
【００３４】
第２実施形態の照明器具５０によれば、点灯ユニット１６の長手方向に直交する幅方向に沿ったスリット５５を有する第２嵌合部５２が、器具本体１１の長手方向に直交する幅方向に沿った本体５３を有する第１嵌合部５１に嵌合されることにより、器具本体１１の幅方向に対して点灯ユニット１６が移動を規制されるので、器具本体１１に対して点灯ユニット１６ががたついたり、落下したりしない。
【００３５】
（第３実施形態）
次に、本発明に係る第３実施形態の照明器具について説明する。
図９に本発明に係る第３実施形態の照明器具６０に適用される第１嵌合部６１および第２嵌合部６２の嵌合前の外観斜視図を示し、図１０に第１嵌合部６１および第２嵌合部６２の嵌合後の外観斜視図を示す。
【００３６】
図９に示すように、照明器具６０に適用される第１嵌合部６１は、熱伝導性の良好な金属材料により成形されており、器具本体１１の長手方向に直交する幅方向に沿った板形状をなす本体６３と、本体６３に対して９０度折り曲げられて接続され、器具本体１１の裏面にねじ止めされる固定部６４とを有する。第１嵌合部６１は、本体６３の両側に角部が切除されたＣカットガイド部６５を有する。
【００３７】
第２嵌合部６２は、第１嵌合部６１と同様に熱伝導性の良好な金属材料により成形されており、点灯ユニット１６の長手方向に直交する幅方向に沿った異形孔形状のスリット６６を有する台６７と、台６７の両端縁から下方に向けて延出されて点灯ユニット１６の表面にねじ止めされる固定部６８とを有する。
図１０に示すように、点灯ユニット１６が器具本体１１に向けて進行されることにより、第２嵌合部６２のスリット６６が第１嵌合部６１の本体６３に挿入されて嵌合される。
【００３８】
第３実施形態の照明器具６０によれば、点灯ユニット１６の長手方向に直交する幅方向に沿ったスリット６６を有する第２嵌合部６２が、器具本体１１の長手方向に直交する幅方向に沿った本体６３を有する第１嵌合部６１に嵌合されることにより、器具本体１１の幅方向に対して点灯ユニット１６が移動を規制されるので、器具本体１１に対して点灯ユニット１６ががたついたり、落下したりしない。
【００３９】
（第４実施形態）
次に、本発明に係る第４実施形態の照明器具について説明する。
図１１に本発明に係る第４実施形態の照明器具７０に適用される第１嵌合部７１および第２嵌合部７２の嵌合前の外観斜視図を示し、図１２に第１嵌合部７１および第２嵌合部７２の嵌合後の外観斜視図を示す。
【００４０】
図１１に示すように、照明器具７０に適用される第１嵌合部７１は、熱伝導性の良好な金属材料により丸軸形状に形成されている。第１嵌合部７１は、その基端部が器具本体１１の裏面に取り付けられる。
第２嵌合部７２は、第１嵌合部７１と同様に熱伝導性の良好な金属材料を用いて、バーリング等の塑性変形により円筒形状に形成されて点灯ユニット１６の表面に設けられている。第２嵌合部７２は嵌合孔７３を有する。
図１２に示すように、点灯ユニット１６が器具本体１１に向けて進行されることにより、第２嵌合部７２の嵌合孔７３が第１嵌合部７１に外嵌されることにより嵌合される。
【００４１】
第４実施形態の照明器具７０によれば、第２嵌合部７２の嵌合孔７３が、第１嵌合部７１に外嵌されることにより、器具本体１１の幅方向に対して点灯ユニット１６が移動を規制されるので、器具本体１１に対して点灯ユニット１６ががたついたり、落下したりしない。
【００４２】
（第５実施形態）
次に、本発明に係る第５実施形態の照明器具について説明する。
図１３（Ａ）に第５実施形態の照明器具８０に適用される第１嵌合部８１および第２嵌合部８２の嵌合前の外観斜視図を示し、図１３（Ｂ）に第１嵌合部８１および第２嵌合部８２の嵌合前の垂直断面図を示し、図１４（Ａ）に第１嵌合部８１および第２嵌合部８２の嵌合後の外観斜視図を示し、図１４（Ｂ）に第１嵌合部８１および第２嵌合部８２の嵌合後の垂直断面図を示す。
【００４３】
図１３（Ａ）および図１３（Ｂ）に示すように、照明器具８０に適用される第１嵌合部８１は、熱伝導性の良好な金属材料により丸軸形状に形成されている。第１嵌合部８１は、その基端部が器具本体１１の裏面に取り付けられ、その先端部に半球形状のガイド８３が形成されている。
第２嵌合部８２は、第１嵌合部８１と同様に熱伝導性の良好な金属材料を用いて、円筒形状に形成されて点灯ユニット１６の表面に取り付けられる。第２嵌合部８２はテーパ面状のガイド８４が形成された嵌合孔８５を有する。
【００４４】
図１４（Ａ）および図１４（Ｂ）に示すように、点灯ユニット１６が器具本体１１に向けて進行されることにより、第２嵌合部８２のガイド８４が第１嵌合部８１のガイド８３に誘導されて第２嵌合部８２の嵌合孔８５が第１嵌合部８１に外嵌されることにより嵌合される。
【００４５】
第５実施形態の照明器具８０によれば、第２嵌合部８２の嵌合孔８５が、第１嵌合部８１に外嵌されることにより、器具本体１１の幅方向に対して点灯ユニット１６が移動を規制されるので、器具本体１１に対して点灯ユニット１６ががたついたり、落下したりしない。
【００４６】
なお、本発明の照明器具において器具本体，点灯回路，反射板ユニット，ＬＥＤユニット等は、前述した実施形態に限定されるものでなく、適宜な変形や改良等が可能である。
【符号の説明】
【００４７】
１０，５０，６０，７０，８０  照明器具
１１  器具本体
１４，５１，６１，７１，８１  第１嵌合部（嵌合部）
１６  点灯ユニット（構造部材）
１７  ＬＥＤ
２０，５２，６２，７２，８２  第２嵌合部（嵌合部）
３３，３７，６５  Ｃカットガイド部（ガイド）
８３，８４  ガイド
【図１】
0005574486.tif 000002
【図２】
0005574486.tif 000003
【図３】
0005574486.tif 000004
【図４】
0005574486.tif 000005
【図５】
0005574486.tif 000006
【図６】
0005574486.tif 000007
【図７】
0005574486.tif 000008
【図８】
0005574486.tif 000009
【図９】
0005574486.tif 000010
【図１０】
0005574486.tif 000011
【図１１】
0005574486.tif 000012
【図１２】
0005574486.tif 000013
【図１３】
0005574486.tif 000014
【図１４】
0005574486.tif 000015
【図１５】
0005574486.tif 000016